(57)【要約】【課題】光ディスクに対するデータの記録と再生を高速で安定して行う。【解決手段】マトリクス回路３２が、光ディスク２の種類を判別するディスク判別信号を生成する。光結合効率制御回路３７は、ディスク判別信号に基づいて電気光学素子１３に対して印加する電圧を変化させる。電気光学素子１３は、印加される電圧が変化することにより、出力される光に含まれるＳ偏光成分とＰ偏光成分との割合を変化させる。電気光学素子１３から出力された光のうちＰ偏光成分の一部が、ビームスプリッタ１５を透過し、光ディスク２に対して照射される。【選択図】  図１
2005032305.tif 000002
【特許請求の範囲】
【請求項１】
光ディスクに対してデータを記録及び／又は再生する記録再生装置において、
上記光ディスクに対して照射する光を出射する光源と、
上記光源から出射された光に含まれるＳ偏光成分とＰ偏光成分との割合を制御する光学素子と、
上記光学素子から出力された光を、一方の偏光成分と他方の偏光成分の一部とからなる第１のレーザ光と、他方の偏光成分の残りからなり、上記光ディスクに対して照射される第２のレーザ光とに分離する偏光分離手段と、
上記光ディスクの種類を判別する判別手段と、
上記判別手段によって判別された光ディスクの種類に応じて、上記光学素子から出力される光に含まれるＳ偏光成分とＰ偏光成分との割合を変化させるように、上記光学素子を制御する光学素子制御手段とを備えることを特徴とする記録再生装置。
【請求項２】
上記判別手段は、上記光ディスクに備えられているデータ記録層の数を判別することを特徴とする記録再生装置。
【請求項３】
上記光学素子と、上記偏光分離手段とは、一体化していることを特徴とする請求項１記載の記録再生装置。
【請求項４】
上記光学素子は、液晶素子であることを特徴とする請求項１記載の記録再生装置。
【請求項５】
上記光学素子制御手段は、上記光ディスクに対してデータを記録するときに、上記偏光分離手段から出力される光に含まれる上記他方の偏光成分の割合を、上記光ディスクに対してデータを再生するときと比較して高くすることを特徴とする請求項１記載の記録再生装置。
【請求項６】
上記光源は、波長が３８０ｎｍ〜４５０ｎｍである光を出射することを特徴とする請求項１記載の記録再生装置。
【請求項７】
光ディスクに対して、光源から出射される光を照射することによってデータを記録及び／又は再生する記録再生方法において、
上記光ディスクの種類を判別する判別ステップと、
上記判別ステップで判別された上記光ディスクの種類に応じて、上記光源から出射される光に含まれるＰ偏光成分とＳ偏光成分との割合を制御する偏光成分制御ステップと、
上記偏光成分制御ステップでＰ偏光成分とＳ偏光成分との割合が制御された光を、一方の偏光成分と他方の偏光成分の一部とからなる第１のレーザ光と、他方の偏光成分の残りからなる第２のレーザ光とに分離する分離ステップと、
上記第２のレーザ光を上記光ディスクに照射する照射ステップとを備えること特徴とする記録再生方法。
【請求項８】
上記判別ステップでは、上記光ディスクに備えられているデータ記録層の数を判別することを特徴とする請求項７記載の記録再生方法。
【請求項９】
上記光ディスクに対してデータを記録するときには、上記光源から出射される光に含まれる上記他方の成分の割合を、上記光ディスクに対してデータを再生するときと比較して高くすることを特徴とする請求項７記載の記録再生方法。
【発明の詳細な説明】
【０００１】
【発明の属する技術分野】
本発明は、光ディスクに対して光を照射することによりデータを記録及び／又は再生する記録再生装置及び記録再生方法に関する。
【０００２】
【従来の技術】
光が照射されることによって、データを記録及び／又は再生（以下、記録再生という。）する光ディスクが広く普及している。光ディスクとしては、凹凸パターンが予め形成されている再生用光ディスクや、データを繰り返し記録することが可能な書き換え型光ディスクなどが挙げられる。
【０００３】
書き換え型光ディスクとしては、データが記録される層（以下、データ記録層という。）が相変化材料によって形成されている相変化型光ディスクや、データ記録層が磁性材料によって形成されている光磁気ディスクなどが挙げられる。
【０００４】
書き換え型光ディスクでは、データを記録するときには、データ記録層に対して光を照射することによってデータ記録層の温度を上昇させ、データ記録層の結晶状態や磁化状態などの状態をデータに対応するように変化させることで、データを記録する。また、データを再生するときには、データ記録層に対して光を照射し、その反射光に基づきデータ記録層の状態として記録されているデータを再生する。
【０００５】
すなわち、書き換え型光ディスクでは、データを再生するときには反射光を検出するのに対し、データを記録するときにはデータ記録層の結晶状態や磁化状態などの状態を変化させる必要がある。したがって、データを再生するときに照射される光の量を、データを記録するときに照射される光の量よりも少なくすることができる。
【０００６】
ところで、書き換え可能型光ディスクに対応した記録再生装置では、データ量の増大などに応じて、データ記録層を多層とすることによってデータを高密度記録すること、及びデータの記録速度を速くすることなどが要求されている。かかる要求に対応するためには、書き換え可能型光ディスクに対してデータを記録するときに、照射する光の強度を上げる必要がある。
【０００７】
したがって、記録再生装置に備えられるレーザ光源の最大定格出力は、増大する傾向にある。また、データを記録するときの光結合効率とデータを再生するときの光結合効率との差は、大きくなる。
【０００８】
しかし、レーザ光源から出射されるレーザ光は、強度が弱くなるにつれて、相対雑音強度（Ｒｅｌａｔｉｖｅ  Ｉｎｔｅｎｓｉｔｙ  Ｎｏｉｓｅ；以下、ＲＩＮという。）が増大する。
したがって、最大定格出力が大きいレーザ光源が備えられた記録再生装置では、データを再生するときに、レーザ光源から出射される出射光の強度を弱くすることによって書き換え型光ディスクに照射する光の光量を少なくすると、書き換え型光ディスクに対してＲＩＮが増大した光が照射されることとなるために、良好な再生を行うことが不可能となる。
【０００９】
そこで、データを再生するときとデータを記録するときとで、書き換え型光ディスクに対して照射する光の光量を、ＲＩＮを増大させることなく変えることができる記録再生装置として、図５に示すような記録再生装置１００が提案されている（例えば、特許文献１参照。）。
【００１０】
記録再生装置１００は、図５に示すように、光ディスク１０１に対してデータを記録する光ピックアップ１０２を備えている。
【００１１】
光ピックアップ１０２では、先ず、レーザ光源１１０が、光ディスク１０１に対して照射するレーザ光を出射する。レーザ光源１１０から出射されたレーザ光は、コリメータレンズ１１１によって平行光とされた後に、電気光学素子１１２に入射する。
【００１２】
電気光学素子１１２は、入射した光のＰ偏光成分とＳ偏光成分との割合を制御して出力する。電気光学素子１１２としては、例えば液晶素子が使用される。電気光学素子１１２から出力された光は、回折格子１１３を透過した後にビームスプリッタ１１４に入射する。
【００１３】
ビームスプリッタ１１４は、電気光学素子１１２から出力されたＳ偏光成分とＰ偏光成分の一部とを反射して９０°屈折させ、Ｐ偏光成分の残りを透過させる。ビームスプリッタ１１４によって反射された光は、第１の集光レンズ１１５によって集光されて、出射光検出部１１６によって検出される。
【００１４】
一方、ビームスプリッタ１１４を透過した光は、１／４波長板１１７によって直線偏光から円偏光に変換された後に対物レンズ１１８によって集光され、光ディスク１０１に対して照射される。
【００１５】
光ディスク１０１の反射光は、対物レンズ１１８及び１／４波長板１１７を透過した後に、ビームスプリッタ１１４によって反射されることにより９０°屈折する。ビームスプリッタ１１４によって反射された光ディスク１０１の反射光は、第２の集光レンズ１１９によって集光されて、シリンドリカルレンズ１２０を透過した後に、反射光検出部１２１によって検出される。
【００１６】
また、記録再生装置１００は、出射光検出部１１６によって検出された出射光の強度に基づいて、レーザ光源１１１から出射される出射光の強度を制御するレーザ光源駆動回路１３１と、反射光検出部１２１によって検出された光ディスク１０１の反射光の強度に基づいて、ＲＦ信号などを生成するマトリクス回路１３２と、電気光学素子１１２から出力される光に含まれるＳ偏光成分とＰ偏光成分との割合を変化させる光結合効率制御回路１３３とを備える。
【００１７】
光結合効率制御部１３３は、光ディスク１０１に対してデータを記録しているか再生しているかを判断し、判断した結果に応じて電気光学素子１１２を制御することにより、光結合効率を制御する。なお、光結合効率とは、レーザ光源１１１から出射される出射光の総光量に対する光ディスク１０１に照射される光量の比である。本実施の形態では、光結合効率制御部１１３は、電気光学素子１１２に対して印加する電圧を変化させることによって、電気光学素子１１２から出力される光に含まれるＳ偏光成分とＰ偏光成分との割合を変化させる。電気光学素子１１２から出力される光に含まれるＳ偏光成分とＰ偏光成分との割合が変化すると、ビームスプリッタ１１４を透過する光の量が変化するために、光結合効率が変化する。
【００１８】
また、図６に示すように、光結合効率制御部１３３は、データを再生しているときには光結合効率を下げており、データを記録しているときには光結合効率を上げている。データを再生しているか又は記録しているかは、例えば図示しないＣＰＵ（Ｃｅｎｔｒａｌ  Ｐｒｏｃｅｓｓｉｎｇ  Ｕｎｉｔ）から供給される信号によって判断する。
【００１９】
すなわち、記録再生装置１００では、データを記録しているときと再生しているときとで、電気光学素子１１２を制御して光結合効率を変化させることによって、光ディスク１０１に照射する光の光量を変化させている。かかる方法で光ディスク１０１に照射される光の光量を制御することにより、レーザ光源１１１の定格出力が大きいときにも、レーザ光源１１１から出射される出射光の光量よりも少ない光量の光を光ディスク１０１に対して照射することが可能となるために、強度が弱く且つＲＩＮが小さい光を、光ディスク１０１に対して照射することが可能となる。
【００２０】
【特許文献１】
特開２００２−２６０２７２号公報
【００２１】
【発明が解決しようとする課題】
しかしながら、データを記録するときの光結合効率とデータを再生するときの光結合効率との差が大きいときには、電気光学素子１１２の温度特性が原因となって、記録再生装置１では、反射光検出部１２１に入射する光量と出射光検出部１１６に入射する光量との比が、データを記録するときとデータを再生するときとで異なってしまう。したがって、記録再生装置１では、レーザ光源制御部１２１によるレーザ光源１１１の制御が、不正確となる。
【００２２】
また、記録再生装置１では、所謂追っかけ再生などのためにデータの記録と再生とを短時間毎に交互に行うときには、光結合効率を短時間毎に切り替える必要がある。しかしながら、光結合効率の切り替え時間は、電気光学素子１１２の温度特性によって変動する。したがって、電気光学素子１１２を制御することにより、光結合効率を安定して高速で切り替えることが困難となる。すなわち、データの記録と再生とを繰り返して行うことが不可能となる。
【００２３】
一方、近年、データ記録層の多層化が進んでいるが、データ記録層が多層である書き換え型光ディスクでは、単層である光ディスクと比較して照射されるレーザ光の光量が大きくなる。
【００２４】
例えば、データ記録層が２層備えられている書き換え型光ディスクでは、データを記録するときに必要となる光の強度が、データ記録層が単層であるときと比較して、約２倍となる。また、データ記録層が単層であるときと比較して反射率が下がるために、データを再生するときに必要となる光の強度も、データ記録層が単層であるときと比較して強くなる。すなわち、書き換え型光ディスクでは、種類、すなわち、データ記録層の数によって必要となる光の光量が変化する。
【００２５】
本発明は、以上説明した従来の実情を鑑みて提案されたものであり、データの記録又は再生がなされている光ディスクの種類に拘わらず、光ディスクに対して高品質な記録再生を行うことが可能であり、且つデータの記録と再生との繰り返しを安定して行うことが可能である記録再生装置及び記録再生方法に関する。
【００２６】
【課題を解決するための手段】
本発明に係る記録再生装置は、光ディスクに対してデータを記録及び／又は再生する記録再生装置において、上記光ディスクに対して照射する光を出射する光源と、上記光源から出射された光に含まれるＳ偏光成分とＰ偏光成分との割合を制御する光学素子と、上記光学素子から出力された光を、一方の偏光成分と他方の偏光成分の一部とからなる第１のレーザ光と、他方の偏光成分の残りからなり、上記光ディスクに対して照射される第２のレーザ光とに分離する偏光分離手段と、上記光ディスクの種類を判別する判別手段と、上記判別手段によって判別された光ディスクの種類に応じて、上記光学素子から出力される光に含まれるＳ偏光成分とＰ偏光成分との割合を変化させるように、上記光学素子を制御する光学素子制御手段とを備えることを特徴とする。
【００２７】
また、本発明に係る記録再生方法は、光ディスクに対して、光源から出射される光を照射することによってデータを記録及び／又は再生する記録再生方法において、上記光ディスクの種類を判別する判別ステップと、上記判別ステップで判別された上記光ディスクの種類に応じて、上記光源から出射される光に含まれるＰ偏光成分とＳ偏光成分との割合を制御する偏光成分制御ステップと、上記偏光成分制御ステップでＰ偏光成分とＳ偏光成分との割合が制御された光を、一方の偏光成分と他方の偏光成分の一部とからなる第１のレーザ光と、他方の偏光成分の残りからなる第２のレーザ光とに分離する分離ステップと、上記第２のレーザ光を上記光ディスクに照射する照射ステップとを備えること特徴とする。
【００２８】
【発明の実施の形態】
以下、本発明の実施の形態について、図面を参照しながら詳細に説明する。
【００２９】
図１に示すように、本発明を適用した記録再生装置１は、光ディスク２に対してデータの記録や再生を行う。本実施の形態では、光ディスク２は、波長が３８０〜４５０ｎｍである光によって、データの記録や再生がなされる。また、光ディスク２は、データが記録される層（以下、データ記録層という。）が単層のものであっても良いし、多層のものであっても良い。
【００３０】
記録再生装置１は、光ディスク２に対して光を照射する光学ピックアップ１０を備える。
【００３１】
図２に示すように、光学ピックアップ１０は、光ディスク２に対して照射する出射光を出射するレーザ光源１１と、レーザ光源１１から出射された光を平行光とするコリメータレンズ１２と、コリメータレンズ１２から出力された光を透過する電気光学素子１３と、電気光学素子１３を透過した光を透過する回折格子１４と、回折格子１４を透過した光の偏光成分を分離するとともに、光ディスク２の反射光を反射するビームスプリッタ１５とを備える。
【００３２】
また、光ピックアップ１０は、回折格子１４を透過した直後にビームスプリッタ１５によって反射された光を集光する第１の集光レンズ１６と、第１の集光レンズ１６によって集光された光を検出する入射光検出部１７とを備える。
【００３３】
また、光ピックアップ１０は、ビームスプリッタ１５の透過光が入射される１／４波長板１８と、１／４波長板１８から出力された光を集光して光ディスク２に照射する対物レンズ１９とを備える。
【００３４】
また、光ピックアップ１０は、光ディスク２によって反射された後に、ビームスプリッタ１５によって反射された反射光を集光する第２の集光レンズ２０と、第２の集光レンズ２０から出力された光を透過するリンドリカルレンズ２１と、シリンドリカルレンズ２１によって透過された光を受光する反射光検出部２２とを備える。
【００３５】
本実施の形態では、レーザ光源１１は、波長が３８０〜４５０ｎｍである光を出射する。レーザ光源１１から出射された出射光は、コリメータレンズ１２によって平行光にされた後に、電気光学素子１３を透過する。
【００３６】
電気光学素子１３は、出力される光に含まれるＳ偏光成分とＰ偏光成分との割合を変化させる。本実施の形態では、電気光学素子１３として液晶素子を使用している。
【００３７】
電気光学素子１３を透過した光は、回折格子１４に入射する。回折格子１４は、入射された光をメインスポットと、メインスポットの両側に位置するサイドスポットとに振り分けて出射する。メインスポットは、ＲＦ信号や、後述するフォーカス制御信号などの生成に使用され、サイドスポットは、後述するトラッキング制御信号を生成するために使用される。
【００３８】
回折格子１４を出力した光は、ビームスプリッタ１５に入射する。ビームスプリッタ１５は、入射した光のうちＳ偏光成分とＰ偏光成分の一部とを反射して９０°屈折させ、Ｐ偏光成分の一部を透過することにより、回折格子１４を出力した光の偏光成分を分離する。すなわち、電気光学素子１３から出力された光に含まれるＰ偏光成分の割合が多いときには、ビームスプリッタ１５から出力する光の光量が多くなり、少ないときには、ビームスプリッタ１５から出力する光の光量が少なくなる。
【００３９】
なお、偏光成分を分離させる手段として、ビームスプリッタ１５以外のものを使用しても良い。また、電気光学素子１３に、偏光成分を分離する機能をもたせても良い。
【００４０】
ビームスプリッタ１５の反射光は、第１の集光レンズ１６によって集光された後に、出射光検出部１７によって検出され、電気信号に変換して出力される。
【００４１】
一方、ビームスプリッタ１５の透過光は、１／４波長板１８によって直線偏光から円偏光に変換された後に、対物レンズ１９によって集光され、光ディスク２に対して照射される。すなわち、電気光学素子１３から出力された光に含まれるＰ偏光成分の割合が多いときには、光ディスク２に対して照射される光の光量が多くなり、少ないときには、光ディスク２に対して照射される光の光量が少なくなる。
【００４２】
光ディスク２の反射光は、対物レンズ１９、１／４波長板１８を透過して、ビームスプリッタ１５に入射される。ビームスプリッタ１５は、光ディスク２の反射光を反射して、９０°屈折させる。なお、ビームスプリッタ１５に入射される光ディスク２の反射光は、１／４波長板１８を２回透過することによってＳ偏光とされているために、ビームスプリッタ１５によって反射される。
【００４３】
ビームスプリッタ１５によって反射された光は、第２の集光レンズ２０によって集光された後に、シリンドリカルレンズ２１に入射する。シリンドリカルレンズ２１は、出力する光に非点収差を生じさせる。記録再生装置１では、シリンドリカルレンズ２１の透過光を利用して、非点収差法による焦点制御を行う。
【００４４】
そして、シリンドリカルレンズ２１を透過した光は、反射光検出部２２によって検出され、電気信号に変換して出力される。
【００４５】
図１に戻り、記録再生装置１は、光ディスク２を回転させるスピンドルモータ３１と、出射光検出部１７から出力された電気信号に基づいてレーザ光源１１から出射される出射光を制御するレーザ光源駆動回路３２とを備える。
【００４６】
また、記録再生装置１は、反射光検出部２２から出力された電気信号に基づいてＲＦ信号、スピンドル制御信号、フォーカス制御信号、トラッキング制御信号、ディスク判別信号などを生成するマトリクス回路３３と、マトリクス回路３３によって生成された信号に対して利得制御及び位相補償などの処理を施す信号処理回路３４とを備える。
【００４７】
また、記録再生装置１は、信号処理回路３４によって処理されたフォーカス制御信号及びトラッキング制御信号に応じて対物レンズ１９の位置を移動させるアクチュエータ（図示せず。）を制御するアクチュエータ制御回路３５と、信号処理回路３４によって処理されたトラッキング制御信号に基づいてスピンドルモータ３１の回転速度を変化させるモータ制御回路３６と、信号処理回路３４によって処理されたディスク判別信号に基づいて電気光学素子１３を制御することにより、光結合効率を制御する光結合効率制御回路３７とを備える。
【００４８】
マトリクス回路３３は、スピンドル制御信号、フォーカス制御信号、トラッキング制御信号などの各制御信号や、ディスク判別信号を生成する。
【００４９】
スピンドル制御信号は、スピンドルモータ３１を制御することによって光ディスク２の回転を制御する信号である。また、フォーカス制御信号は、対物レンズ１９を光ディスク２に対して近接又は離間するように移動させることによって、光ディスク２と対物レンズ１９との間の距離が一定となるように、対物レンズ１９の位置を変化させる信号である。また、トラッキング制御信号は、対物レンズ１９を光ディスク２の径方向に移動させることにより、光ディスク２に対して照射される光のスポットの位置がトラック上となるように、対物レンズ１９の位置を変化させる信号である。なお、本実施の形態では、フォーカス制御信号は非点収差法によって生成し、トラッキング制御信号は作動プッシュプル法によって生成する。
【００５０】
ディスク判別信号は、記録再生装置１によってデータの記録又は再生がなされている光ディスク２の種類、具体的には、光ディスク２に形成されているデータ記録層の数を示す信号である。本実施の形態では、マトリクス回路３３が、光ディスク２の最内周や最外周に形成されているＲＯＭ（Ｒｅａｄ  Ｏｎｌｙ  Ｍｅｍｏｒｙ）領域に記録されているデータ、すなわち照射される出射光の最適パワー値や光ディスクの種類を示す値などに基づいて光ディスク２の種類を判別した後に、判別した種類に基づいてディスク判別信号を生成する。
【００５１】
なお、光ディスク２の判別はかかる方法に限定されるものではなく、例えば、光ディスク２に対して所定の強度の光を照射したときの、反射光の光量から判別しても良い。また、光ディスク２がカートリッジに収納されており、カートリッジにディスクの種類を示すディスクデータが記録されているときには、カートリッジに記録されているディスクデータを読み取ることによって判別しても良い。
【００５２】
光結合効率制御回路３７は、ディスク判別信号に基づいて電気光学素子１３を制御することにより、レーザ光源１１から出射される光の総光量に対する光ディスク２に照射される光の光量である光結合効率を、ディスク２の種類に応じて制御して、光ディスク２に照射する光量を変化させる。したがって、記録再生装置１では、図３に示すように、光ディスク２の種類によって、光結合効率が変化する。
【００５３】
例えば、記録層が多層である光ディスクでは、記録層が単層である光ディスクと比較して、データを記録及び再生するときに必要となる光の強度が強くなる。したがって、光結合効率制御回路３７は、記録層が多層である光ディスクに対してデータを記録再生しているときには、記録層が単層である光ディスクに対してデータを記録再生しているときと比較して、光結合効率を上げるように、電気光学素子１３を制御する。
【００５４】
具体的には、光結合効率制御回路３７は、電気光学素子１３に対して電圧を印加しており、印加する電圧を変化させて、電気光学素子１３から出力される光に含まれるＳ偏光成分とＰ偏光成分との割合を変化させることにより、光結合効率を変化させている。
【００５５】
ところで、光結合効率は、レーザ光源１１から出射されるレーザ光の強度を制御することによっても変化する。しかしながら、レーザ光源１１から出射される出射光を弱くすると、相対雑音強度（Ｒｅｌａｔｉｖｅ  Ｉｎｔｅｎｓｉｔｙ  Ｎｏｉｓｅ；以下、ＲＩＮという。）が増大する。したがって、光ピックアップ１０では、レーザ光源１１から出射されるレーザ光の強度を変化させずに、出射されたレーザ光の強度を弱めることによって、光結合効率を変化させることが好ましい。
【００５６】
光結合効率制御回路３７では、電気光学素子１３に対して印加する電圧を変化させることにより、電気光学素子１３から出力される光に含まれるＰ偏光成分とＳ偏光成分との割合を変化させることができる。電気光学素子１３から出力される光に含まれるＰ偏光成分とＳ偏光成分との割合が変化すると、ビームスプリッタ１５を透過する光の光量が変化するために、光ディスク２に照射される光の光量が変化する。すなわち、光結合効率が変化する。
【００５７】
かかる方法によって光結合効率制御回路３７が光結合効率を変化させることにより、記録再生装置１では、レーザ光源１１から出射される出射光の光を弱くすることなく、光ディスク２に対して照射する光の光量を少なくすることが可能となる。したがって、光ディスク２に対して、光量が少なく且つＲＩＮが少ない光を照射することが可能となる。
【００５８】
光結合効率制御回路３７が、以上説明した方法に従って光結合効率を光ディスク２の種類に応じて変化させることにより、記録再生装置１は、データの記録及び再生を行うときに必要となる光の強度が異なる複数の種類の光ディスクに対して、それぞれ最適な強度であり且つＲＩＮが少ない光を照射することが可能となり、高品質なデータの記録及び再生を行うことが可能となる。
【００５９】
つぎに、光ディスク２に対してデータを記録再生するときの記録再生装置１の動作について説明する。
【００６０】
記録再生装置１は、光ディスク２が装着されると、先ず、光ディスク２の種類を判別する。
【００６１】
本実施の形態では、光ディスク２が装着されると、先ず、レーザ光源１１から出射された所定の強度の光が光ディスク２に対して照射され、光ディスク２の反射光が反射光検出部２２に入射する。次に、反射光検出部２２は、受光した光を電気信号に変換して、マトリクス回路３３に出力する。次に、マトリクス回路３３は、供給された電気信号に基づいて、ディスク判別信号を生成して、信号処理回路３４に出力する。信号処理回路３４は、供給されたディスク判別信号に対して利得制御及び位相補償などの処理を施して、光結合効率制御回路３７に供給する。
【００６２】
次に、光結合効率制御回路３７は、ディスク判別信号から光ディスク２の種類を判別し、光ディスク２の種類に応じて電気光学素子１３に印加する電圧を変えることにより、光結合効率を変化させる。
【００６３】
そして、レーザ光源１１が出射光を射出し、光ディスク２に対するデータの記録又は再生が開始する。
【００６４】
光ディスク２に対するデータの記録や再生が開始すると、レーザ光源１１から出射光が出射され、出射された光は、コリメータレンズ１２、電気光学素子１３、回折格子１４を透過して、ビームスプリッタ１５に入射する。ビームスプリッタ１５は、入射した光の一部を透過して一部を反射する。
【００６５】
ビームスプリッタ１５を透過した光は、１／４波長板１８、対物レンズ１９を透過して光ディスク２に照射される。光ディスク２に照射される光の強度は、光結合効率制御回路３７によって制御された通りとなる。
【００６６】
そして、光ディスク２の反射光は、対物レンズ１９、１／４波長板１８を透過した後にビームスプリッタ１５によって反射され、第２の集光レンズ２０及びシリンドリカルレンズ２１を透過した後に、反射光検出部２２に入射する。反射光検出部２２は、入射した光を電気信号に変換して出力する。
【００６７】
反射光検出部２２から出力された信号はマトリクス回路３３へ供給される。マトリクス回路３３は、供給された信号から、スピンドル制御信号、フォーカス制御信号、トラッキング制御信号などの各制御信号や、ＲＦ信号などを生成する。
各制御信号は、信号処理回路３４に供給される。また、ＲＦ信号は、図示しないエンコーダに供給される。
【００６８】
信号処理回路３４は、各制御信号に位相補償や利得制御を施した後に、各回路に供給する。詳述すると、フォーカス制御信号及びトラッキング制御信号はアクチュエータ制御回路３５に供給され、スピンドル制御信号はモータ制御回路３６に供給される。
【００６９】
そして、アクチュエータ制御回路３５は、フォーカス制御信号及びトラッキング制御信号に基づいてアクチュエータを制御して、対物レンズ１９の位置を変化させる。また、モータ制御回路３６は、スピンドル制御信号に基づいてスピンドルモータ３１を制御し、光ディスク２の回転を制御する。
【００７０】
また、レーザ光源１１から出射された後にコリメータレンズ１２、電気光学素子１３、回折格子１４を透過して、ビームスプリッタ１５に入射した後に、ビームスプリッタ１５によって反射された光は、第１の集光レンズ１６によって集光された後に出射光検出部１７に入射する。出射光検出部１７は、入射した光を電気信号に変換して出力する。
【００７１】
出射光検出部１７から出力された信号は、レーザ光源駆動回路３２に供給される。レーザ光源駆動回路３２は、供給された信号に基づいてレーザ光源１１からの出射光の出射を制御する。
【００７２】
以上説明したように、本発明を適用した記録再生装置１は、装着された光ディスク２の種類に基づいて、光結合効率制御回路３７が電気光学素子１３に対して印加する電圧を変化させている。電気光学素子１３は、印加される電圧によって、出力される光に含まれるＳ偏光成分とＰ偏光成分との割合を変化させる。そして、ビームスプリッタ１５が、Ｓ偏光成分とＰ偏光成分の一部とを反射し、Ｐ偏光成分の一部を透過することによって、光ディスク２に照射される光の強度が変化する。すなわち、光結合効率が変化する。
【００７３】
したがって、本発明を適用した記録再生装置１は、データの記録及び再生を行うときに必要となる光の強度が異なる複数の種類の光ディスクに対して、それぞれ最適な強度であり且つＲＩＮの少ない光を照射することが可能となるために、高品質なデータの記録及び再生を行うことが可能となる。
【００７４】
また、本発明を適用した記録再生装置１は、データを記録するときと再生するときとで光結合効率を変化させることなく、光ディスク２に対するデータの記録や再生を行うことが可能となるために、光結合素子１３の温度特性を考慮せずに、光ディスク２に対してデータの記録と再生とを交互に行うことを、高速で行うことが可能となる。
【００７５】
すなわち、本発明を適用した記録再生装置１では、記録と再生とを交互に繰り返す、所謂追っかけ再生を行うときに、安定してデータの記録や再生を行うことが可能となる。特に、光結合効率が小さい状態で記録を行うことにより、レーザ光源１１から出射される出射光の強度を上げ過ぎてしまい、レーザ光源１１の寿命を短くしてしまうことを防ぐことが可能となる。
【００７６】
また、本発明を適用した記録再生装置１は、記録するときと再生するときとで光結合効率を変化させることなく、光ディスク２に対するデータの記録や再生を行うことが可能となるために、反射光検出部２２に入射する光量と出射光検出部１６に入射する光量との比が、光ディスク２の種類に応じて一定となることから、レーザ光源制御回路３７によるレーザ光源１１の制御を、正確に行うことが可能となる。
【００７７】
なお、データを記録するときに必要となる光の強度とデータを再生するときに必要となる光の強度との差が非常に大きい光ディスクについては、データを記録するときと再生するときとで照射する光の光量を変える必要が生じる。記録再生装置１は、かかる光ディスクに対してデータを記録することや再生することを可能とするために、図４に示すように、光ディスク２の種類に応じて、データを記録するときと再生するときとで光結合効率を変化できる構成としても良い。
【００７８】
なお、記録再生装置１は、３８０ｎｍ〜４５０ｎｍの波長の光を出射するレーザ光源１１の他に、異なる波長の光を出射するレーザ光源を備えることにより、例えばＣＤ（Ｃｏｍｐａｃｔ  Ｄｉｓｃ）など、他の波長の光によってデータの記録や再生を行う光ディスクを再生することも可能となる。
【００７９】
【発明の効果】
本発明に係る記録再生装置は、装着された光ディスクの種類に基づいて、光学素子制御手段が、光学素子から出力される光に含まれるＰ偏光成分とＳ偏光成分との割合を変化させる。光学素子から出力される光に含まれるＰ偏光成分とＳ偏光成分との割合が変化すると、偏光分離手段によって分離される第２のレーザ光の光量が変化することから、光源を制御することなく、光ディスクに対して照射する光の光量を変化させることが可能となる。
【００８０】
また、本発明に係る記録再生方法によれば、装着された光ディスクの種類に基づいて、偏光成分制御ステップで制御されるＰ偏光成分とＳ偏光成分との割合を変化させる。偏光成分制御ステップで制御されるＰ偏光成分とＳ偏光成分との割合が変化すると、分離ステップで分離される第２のレーザ光の光量量が変化することから、光源を制御することなく、光ディスクに対して照射する光の光量を変化させることが可能となる。
【００８１】
したがって、本発明に係る記録再生装置及び記録再生方法によれば、データの記録及び再生を行うときに必要となる光の強度が異なる複数の種類の光ディスクに対して、それぞれ最適な強度であり且つ相対雑音強度が少ない光を照射することが可能となるために、高品質なデータの記録及び再生を行うことが可能となる。
【００８２】
また、本発明に係る記録再生装置及び記録再生方法によれば、記録するときと再生するときとで光ディスクに対して照射される光の強度を変化させることなく、光ディスクに対してデータの記録や再生を行うことが可能となるために、光ディスクに対してデータの記録と再生とを交互に行うことを、高速で安定して行うことが可能となる。
【図面の簡単な説明】
【図１】本発明を適用した記録再生装置を示すブロック図である。
【図２】同記録再生装置に備えられる光ピックアップを示す図である。
【図３】同記録再生装置における、光結合効率野変化を示す図である。
【図４】同記録再生装置で、光ディスクの種類によってデータを記録するときと再生するときとで光結合効率を変えたときの、光結合効率を示す図である。
【図５】従来の記録再生装置を示す図である。
【図６】従来の記録再生装置における光結合効率を示す図である。
【符号の説明】
１  記録再生装置、２  光ディスク、１１  レーザ光源、１３  電気光学素子、１７  入射光検出部、１９  対物レンズ、２２  出射光検出部、３１  スピンドルモータ、３２  レーザ光源駆動回路、３３  マトリクス回路、３４  信号処理回路、３５  アクチュエータ制御回路、３６  モータ制御回路、３７  光結合効率制御回路
【図１】
2005032305.tif 000003
【図２】
2005032305.tif 000004
【図３】
2005032305.tif 000005
【図４】
2005032305.tif 000006
【図５】
2005032305.tif 000007
【図６】
2005032305.tif 000008